(57)【要約】【課題】広告を視聴することに対する動機づけを拡大する技術を提供する。【解決手段】取得部２０は、通信条件を変更させるための評価対象となるデータを通信端末装置１０に送信した回数の情報と、通信端末装置１０を使用するユーザを識別するための識別情報とを取得する。計算部２４は、取得した識別情報によって識別されるユーザが複数集められてセグメントが形成されており、セグメントに含まれた各ユーザの識別情報をもとに、取得した回数の情報から、セグメント内の複数のユーザに対する回数の合計値を計算する。変更部２６は、計算した合計値をもとに、セグメントに含まれた複数のユーザのそれぞれに対する通信条件を変更する。【選択図】図１
2016045880.tif 000002
【特許請求の範囲】
【請求項１】
通信条件を変更させるための評価対象となるデータを通信端末装置に送信した回数の情報と、当該通信端末装置を使用するユーザを識別するための識別情報とを取得する取得部と、
前記取得部において取得した識別情報によって識別されるユーザが複数集められてセグメントが形成されており、セグメントに含まれた各ユーザの識別情報をもとに、前記取得部において取得した回数の情報から、セグメント内の複数のユーザに対する回数の合計値を計算する計算部と、
前記計算部において計算した合計値をもとに、セグメントに含まれた複数のユーザのそれぞれに対する通信条件を変更する変更部と、
を備えることを特徴とする管理装置。
【請求項２】
前記取得部における通信条件を変更させるための評価対象となるデータは、広告情報が含まれたデータであることを特徴とする請求項１に記載の管理装置。
【請求項３】
前記変更部は、通信条件として、セグメントに含まれた複数のユーザのそれぞれによって使用される通信端末装置の通信帯域を変更することを特徴とする請求項１または２に記載の管理装置。
【請求項４】
前記変更部は、通信条件として、セグメントに含まれた複数のユーザのそれぞれによって使用される通信端末装置の通信料金を変更することを特徴とする請求項１から３のいずれかに記載の管理装置。
【請求項５】
通信端末装置は、互いに異なった第１通信システムと第２通信システムに対応しており、
前記取得部におけるデータは、第１通信システムの通信条件を変更させるための評価対象となるデータであり、
前記取得部において取得した回数の情報は、第２通信システムを介してデータを送信した回数の情報であり、
前記計算部は、第２通信システムを介してデータを送信した回数の合計値を計算し、
前記変更部は、前記計算部において計算した合計値をもとに、セグメントに含まれた複数のユーザのそれぞれに対する第１通信システムの通信条件を変更することを特徴とする請求項１から４のいずれかに記載の管理装置。
【発明の詳細な説明】
【技術分野】
【０００１】
本発明は、通信技術に関し、特に通信システムにおける通信条件を管理する管理装置に関する。
【背景技術】
【０００２】
ユーザの広告利用率を高め、いずれの場所であっても何らかの広告を配信することが望まれる。そのために、ユーザが携帯端末を利用するときに自動的に位置を測位し、測位結果、現在の時間、登録されたユーザプロファイルに応じた広告が配信される（例えば、特許文献１参照。）。
【先行技術文献】
【特許文献】
【０００３】
【特許文献１】特開２０１０−３９８９８号公報
【発明の概要】
【発明が解決しようとする課題】
【０００４】
広告の利用効率を高めるためには、ユーザの特性に適した広告を配信することが有効であるが、広告を視聴することに対する動機づけをユーザに与えることも有効である。例えば、広告を視聴した回数に応じて特典が与えられるが、ユーザがひとりだけで広告を視聴しても、ユーザに与えることができる動機づけには限度がある。
【０００５】
本発明はこうした状況に鑑みてなされたものであり、その目的は、広告を視聴することに対する動機づけを拡大する技術を提供することにある。
【課題を解決するための手段】
【０００６】
上記課題を解決するために、本発明のある態様の管理装置は、通信条件を変更させるための評価対象となるデータを通信端末装置に送信した回数の情報と、当該通信端末装置を使用するユーザを識別するための識別情報とを取得する取得部と、取得部において取得した識別情報によって識別されるユーザが複数集められてセグメントが形成されており、セグメントに含まれた各ユーザの識別情報をもとに、取得部において取得した回数の情報から、セグメント内の複数のユーザに対する回数の合計値を計算する計算部と、計算部において計算した合計値をもとに、セグメントに含まれた複数のユーザのそれぞれに対する通信条件を変更する変更部と、を備える。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、広告を視聴することに対する動機づけを拡大できる。
【図面の簡単な説明】
【０００９】
【図１】本発明の実施例１に係る通信システムの構成を示す図である。
【図２】図１の記憶部に記憶されたテーブルのデータ構造を示す図である。
【図３】図３（ａ）−（ｂ）は、図１の変更部に記憶されたテーブルのデータ構造を示す図である。
【図４】図１の管理装置による通信帯域の変更手順を示すフローチャートである。
【図５】本発明の実施例２に係る通信システムの構成を示す図である。
【図６】図５の管理装置における記憶部に記憶されたテーブルのデータ構造を示す図である。
【図７】本発明の実施例３の通信システムにおける広告とＳＳＩＤとの関係を示す図である。
【図８】本発明の実施例３の管理装置において選択されるＳＳＩＤの時間変化を示す図である。
【図９】本発明の実施例３の管理装置の記憶部に記憶されたテーブルのデータ構造を示す図である。
【図１０】本発明の実施例３の管理装置によるＳＳＩＤの指示手順を示すフローチャートである。
【発明を実施するための形態】
【００１０】
（実施例１）
本発明を具体的に説明する前に、概要を述べる。本発明の実施例１は、携帯電話システム等の無線通信技術と広告配信技術とを組合わせた通信システムに関する。ユーザは、一般的に、通信事業者に通信料金を支払うことによって、所定の通信帯域が使用可能になり、データ通信、音声通信等を実行する。このような通信で使用される通信端末装置は可搬性を有するので、ユーザにとってはさまざまな場所での通信が可能になる。そのため、これに広告配信技術を組み合わせると、さまざまな場所で広告が視聴される。前述のごとく、広告の利用効率を高めるために、ユーザにとって、広告を視聴することに対する動機づけを拡大することが重要になる。これに対応するために、本実施例に係る通信システムは、広告の視聴数が増加するほど、通信帯域が増えたり、通信料金が安くなったりすることによって、動機づけを拡大するが、動機づけをさらに拡大するために、次の処理を実行する。
【００１１】
通信システムでは、性別、年齢、趣味、趣向、職業等のユーザ属性が類似する複数のユーザを集めることによって、グループが形成される。このようなグループは、セグメントとも呼ばれる。また、携帯電話システムを使用する場合、複数のユーザをまとめてセグメントを形成することは、複数のＳＩＭ（Ｓｕｂｓｃｒｉｂｅｒ  Ｉｄｅｎｔｉｔｙ  Ｍｏｄｕｌｅ）カードをまとめてセグメントを形成することに相当する。セグメントに対して通信帯域が付与され、当該セグメントに含まれた複数の通信端末装置は、通信帯域を共有して使用する。本実施例では、各ユーザが広告を視聴した回数を計測し、計測結果をセグメント内で合算することによって、合計値を導出する。合計値に応じてセグメント全体に対する通信帯域が調節される。例えば、合計値が増加するほど、セグメント全体で使用可能な通信帯域が増加される。そのため、本実施例に係る通信システムは、広告視聴を前提とするユーザとともにつくるキャリアであり、広告視聴や購買行動と帯域制御を組み合わせたシステムであるといえる。
【００１２】
図１は、本発明の実施例１に係る通信システム１００の構成を示す。通信システム１００は、通信端末装置１０と総称される第１通信端末装置１０ａ、第２通信端末装置１０ｂ、第３通信端末装置１０ｃ、基地局装置１２、ネットワーク１４、コンテンツサーバ１６、管理装置１８を含む。また、管理装置１８は、取得部２０、記憶部２２、計算部２４、変更部２６を含む。
【００１３】
通信端末装置１０は、ユーザによって使用される無線装置であり、携帯電話システムに対応した携帯電話、スマートホン、タブレット等である。通信端末装置１０は、データ通信、音声通信を実行可能であるが、ここでは、例えば、データ通信を実行するものとする。通信端末装置１０には、ＳＩＭカードが装着されており、ＳＩＭカードには、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と呼ばれる固有の番号が付与されている。また、ＳＩＭカードあるいはＩＭＳＩは、通信端末装置１０ごとに異なっているので、ＳＩＭカードあるいはＩＭＳＩは、ユーザを識別するための識別情報として使用される。
【００１４】
また、前述のごとく、複数のユーザを集めることによってセグメントが規定される。セグメントとは、市場の中で共通のニーズを持ち、製品の認識の仕方・価値づけ・使用方法、購買に至るプロセス、すなわち購買行動において類似しているユーザのグループである。例えば、３０代女性のような共通の属性を有したセグメントが規定される。１つの通信端末装置１０を使用しているユーザが複数のセグメントに属することも可能であるが、ここでは、説明を容易にするために、ひとりのユーザは、１つのセグメントのみに属しているとする。そのため、１つの通信端末装置１０も、１つのセグメントのみに属しているといえる。
【００１５】
基地局装置１２は、一端側で無線通信を実行し、他端側で有線通信を実行する。基地局装置１２は、携帯電話システムに対応しており、一端側において通信端末装置１０と通信する。ネットワーク１４は、基地局装置１２に接続される。基地局装置１２、ネットワーク１４は、移動体通信事業者によって運用・管理されている場合もあれば、移動体通信事業者から再販を受けた仮想移動体通信事業者によって運用・管理されている場合もある。ここでは、一例として、後者であるとし、仮想移動体通信事業者は、セグメント全体に割当可能な通信帯域を設定し、当該セグメントに含まれた通信端末装置１０に対して、設定した通信帯域の少なくとも一部を割り当てる。この通信帯域は、無線通信での帯域であるが、その設定・割当は、ネットワーク１４においてなされる。また、通信料金は、セグメントごとに規定される。
【００１６】
コンテンツサーバ１６は、コンテンツデータを記憶する。コンテンツデータの一例は、広告情報が含まれたデータ（以下、「広告データ」という）であり、複数種類の広告情報に対応するように、複数種類の広告データがコンテンツサーバ１６に記憶されている。コンテンツサーバ１６は、ネットワーク１４に接続されており、ネットワーク１４、基地局装置１２を介して通信端末装置１０へ広告データを送信する。これが広告の配信に相当する。広告の配信は、通信端末装置１０からの要求を受信した場合にプル型としてなされてもよいし、コンテンツサーバ１６での自律的なプッシュ型としてなされてもよい。
【００１７】
プッシュ型の配信は、例えば、定期的になされる。また、配信される広告データは、通信端末装置１０を使用しているユーザからの要求に応じて選択されてもよいし、コンテンツサーバ１６において選択されてもよい。特に、後者の場合、コンテンツサーバ１６は、各通信端末装置１０が含まれるセグメントに関する情報を記憶しており、セグメントを特徴づける特性に応じた広告データを選択する。例えば、セグメントが３０代女性によって特徴づけられている場合、コンテンツサーバ１６は、３０代女性の趣味・趣向に適した広告データを選択する。
【００１８】
コンテンツサーバ１６は、一定期間、例えば１ヶ月間において、通信端末装置１０へ広告データを送信した回数を計測する。なお、コンテンツサーバ１６は、広告データを送信した後に通信端末装置１０からの受信確認を受信可能である場合、受信確認の受信回数を計測してもよい。コンテンツサーバ１６は、一定期間における回数を計測すると、対象となる通信端末装置１０を使用するユーザを識別するための識別情報と、回数の情報とを管理装置１８に送信する。また、コンテンツサーバ１６は、通信端末装置１０に広告データを送信するごと、あるいは通信端末装置１０からの受信確認を受信するごとに、その報告および識別情報を管理装置１８に送信してもよい。
【００１９】
管理装置１８は、ネットワーク１４に接続される。取得部２０は、ネットワーク１４を介してコンテンツサーバ１６から、識別情報と、回数の情報とを取得する。なお、コンテンツサーバ１６から、送信あるいは受信ごとの報告と、識別情報とを取得した場合、取得部２０は、識別情報ごとに、報告の取得回数を一定期間において計測することによって、回数の情報を生成する。取得部２０は、識別情報と、回数の情報とを記憶部２２に記憶する。
【００２０】
記憶部２２は、取得部２０からの指示にしたって、識別情報と、回数の情報とを記憶する。図２は、記憶部２２に記憶されたテーブルのデータ構造を示す。図示のごとく、セグメントＩＤ欄２００、ユーザＩＤ欄２０２、回数欄２０４が含まれる。セグメントＩＤ欄２００には、ユーザが属するセグメントを識別するためのセグメントＩＤが示される。また、ユーザＩＤ欄２０２は、前述の識別情報がユーザＩＤとして示される。これは、前述のＩＭＳＩであってもよく、ＩＭＳＩ等に１対１で対応づけられたＩＤであってもよい。なお、ユーザとセグメントとの対応関係は予め規定されているので、セグメントＩＤ欄２００、ユーザＩＤ欄２０２には、当該対応関係にしたがったセグメントＩＤとユーザＩＤとが予め示されていてもよい。回数欄２０４には、前述の回数の情報が示される。図１に戻る。
【００２１】
計算部２４は、前述の一定期間の経過後に、回数の情報を集計する。具体的に説明すると、計算部２４は、記憶部２２を参照することによって、１つのセグメントＩＤに含まれた複数のユーザＩＤのそれぞれに対応した回数の情報を抽出する。計算部２４は、抽出した回数を合算することによって、回数の合計値を計算する。これは、セグメントに含まれた複数のユーザＩＤをもとに、取得部２０において取得した回数の情報から、セグメント内の複数のユーザに対する回数の合計値を計算することに相当する。また、計算部２４は、他のセグメントに対しても合計値を計算する。以下では、説明を明瞭にするために、１つのセグメントに対する処理だけを説明する。
【００２２】
変更部２６は、計算部２４において計算した合計値をもとに、セグメントに含まれた複数のユーザのそれぞれに対する通信条件を変更する。通信条件の一例は、通信帯域であり、変更部２６は、セグメントに含まれた複数のユーザのそれぞれによって使用される通信端末装置１０の通信帯域を変更する。変更部２６における変更処理を説明するために、ここでは、図３（ａ）−（ｂ）を使用する。
【００２３】
図３（ａ）−（ｂ）は、変更部２６に記憶されたテーブルのデータ構造を示す。図３（ａ）において、条件欄２１０、通信帯域欄２１２が示される。条件欄２１０には、合計値に対する条件が示される。ここで、しきい値として、ＴＨ１、ＴＨ２、ＴＨ３が定められており、ＴＨ１＜ＴＨ２＜ＴＨ３であるとする。ＴＨ１＜合計値≦ＴＨ２である場合、変更部２６は、通信帯域欄２１２のように、通信帯域を「α１」Ｍｂｐｓだけ増加する。なお、合計値がＴＨ１以下である場合、通信帯域の増加はなされないので、ＴＨ１は、広告最低視聴回数といえる。ＴＨ２＜合計値≦ＴＨ３である場合、変更部２６は、通信帯域を「α２」Ｍｂｐｓだけ増加し、ＴＨ３＜合計値である場合、変更部２６は、通信帯域を「α３」Ｍｂｐｓだけ増加する。ここで、α１＜α２＜α３であるとする。そのため、セグメント全体での回数が増加するほど、通信帯域が増加する。図１に戻る。
【００２４】
また、変更部２６における通信条件の別の一例は、通信料金あり、変更部２６は、セグメントに含まれた複数のユーザのそれぞれによって使用される通信端末装置１０の通信料金を変更する。これを説明するために、ここでは、図３（ｂ）を使用する。図３（ｂ）において、条件欄２２０、通信料金欄２２２が示される。条件欄２２０に示される条件は、条件欄２１０と同様である。通信料金欄２２２には、割引となる通信料金が示されており、変更部２６は、条件に応じて、通信料金を「β１」円、「β２」円、「β３」円だけ割引する。ここで、「β１」＜「β２」＜「β３」であるとする。そのため、セグメント全体での回数が増加するほど、通信料金が安くなる。このように、広告データの送信回数あるいは受信回数に応じて通信条件が変更されるので、広告データは、通信条件を変更させるための評価対象となるデータといえる。
【００２５】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２６】
以上の構成による通信システム１００の動作を説明する。図４は、管理装置１８による通信帯域の変更手順を示すフローチャートである。計算部２４は、セグメント内の合計値を計算する（Ｓ１０）。合計値＞ＴＨ１であり（Ｓ１２のＹ）、合計値＞ＴＨ２でなければ（Ｓ１４のＮ）、変更部２６は、通信帯域「α１」Ｍｂｐｓの増加を決定する（Ｓ２２）。合計値＞ＴＨ２であり（Ｓ１４のＹ）、合計値＞ＴＨ３でなければ（Ｓ１６のＮ）、変更部２６は、通信帯域「α２」Ｍｂｐｓの増加を決定する（Ｓ２０）。合計値＞ＴＨ３であれば（Ｓ１６のＹ）、変更部２６は、通信帯域「α３」Ｍｂｐｓの増加を決定する（Ｓ１８）。一方、合計値＞ＴＨ１でなければ（Ｓ１２のＮ）、ステップ１４からステップ２２はスキップされる。
【００２７】
本発明の実施例によれば、セグメント内における広告データの送信回数に応じて通信条件が変更されるので、広告を視聴することに対する動機づけを拡大できる。また、セグメント内の合計値をもとに通信条件が変更されるので、広告データの送信回数が少ないユーザにおいては、恩を感じさらに広告を進んで見るようにさせることができる。また、セグメントを形成することによって、ＳＮＳ等においてセグメント内の意見交換が可能になり、広告をより多く見るように促すことができる。また、通信条件として、通信帯域が変更されるので、通信帯域を拡大させるために広告を多く見させることができる。また、通信条件として、通信料金が変更されるので、通信料金を安価にさせるために広告を多く見させることができる。
【００２８】
（実施例２）
次に、本発明の実施例２を説明する。実施例２は、実施例１と同様に、広告の配信回数に応じて通信条件を変更する通信システムに関する。実施例１では、無線通信を実行するために携帯電話システムだけが使用されている。一方、実施例２では、携帯電話システムに加えて無線ＬＡＮ（Ｌｏｃａｌ  Ａｒｅａ  Ｎｅｔｗｏｒｋ）システムも使用される。つまり、実施例２では、ふたつの無線通信システムが組み合わせられる。無線ＬＡＮシステムにおける通信料金は、携帯電話システムにおける通信料金よりも安価である場合が多い。そのため、無線通信システムと携帯電話システムの両方を使用可能な場合、無線ＬＡＮシステムを使用する方が望ましい。
【００２９】
一方、実施例２に係る通信システムにおいても、セグメントが規定されるとともに、広告データの送信回数の合計値をもとに、セグメントに対する携帯電話システムの通信帯域が調節される。このような状況下において、無線ＬＡＮシステムを優先的に使用する方が好ましいことを考慮して、実施例２に係る通信システムでは、広告データは、無線ＬＡＮシステムにて送信されており、無線ＬＡＮシステムにおいて広告データを送信した回数のセグメント内における合計値をもとに、携帯電話システムの通信帯域が調節される。
【００３０】
図５は、本発明の実施例２に係る通信システム１００の構成を示す。通信システム１００は、通信端末装置１０と総称される第１通信端末装置１０ａ、第２通信端末装置１０ｂ、第３通信端末装置１０ｃ、基地局装置１２、コンテンツサーバ１６、管理装置１８、第１ネットワーク３０、アクセスポイント３２、第２ネットワーク３４、ＧＷ３６を含む。
【００３１】
通信端末装置１０は、互いに異なった携帯電話システムと無線ＬＡＮシステムに対応する。携帯電話システムでの処理については、前述の通りである。通信端末装置１０は、ＩＥＥＥ８０２．１１の規格に準拠した処理を実行することによって、アクセスポイント３２との無線通信を実行する。なお、無線ＬＡＮシステムにおいては、例えば、ＭＡＣ（Ｍｅｄｉａ  Ａｃｃｅｓｓ  Ｃｏｎｔｒｏｌ）アドレスが識別情報として使用される。そのため、通信端末装置１０には、携帯電話システムでの識別情報（以下、「第１通信システムＩＤ」ということもある）、無線ＬＡＮシステムでの識別情報（以下、「第２通信システムＩＤ」ということもある）が付与されている。また、第１通信システムＩＤと第２通信システムＩＤとに紐づけられた識別情報（以下、「ユーザＩＤ」ということもある）が通信端末装置１０に付与されてもよい。
【００３２】
アクセスポイント３２は、無線ＬＡＮシステムに対応しており、ＩＥＥＥ８０２．１１の規格に準拠した処理を実行することによって通信端末装置１０と通信する。アクセスポイント３２は、例えば、通信システム１００の事業者の管理配下である。この場合、アクセスポイント３２との自動接続と、高いＱｏＳ（Ｑｕａｌｉｔｙ  ｏｆ  Ｓｅｒｖｉｃｅ）での配信とが可能である。また、動的広告ＳＳＩＤ（Ｓｅｒｖｉｃｅ  Ｓｅｔ  Ｉｄｅｎｔｉｆｉｅｒ）も可能である。なお、動的広告ＳＳＩＤについては、後述する。また、アクセスポイント３２は、通信システム１００の事業者とは別の事業者の管理配下であってもよい。通信システム１００の事業者とは別の事業者とは、例えば、飲食店、公共機関等であり、これらとの間でローミング契約が結ばれている。この場合、アクセスポイント３２との自動接続と、広告データのプッシュ型配信が可能である。さらに、アクセスポイント３２は、無料接続可能な公衆系のアクセスポイント３２であってもよい。この場合、手動あるいはツールによる接続、広告データのプッシュ型配信が可能である。
【００３３】
第２ネットワーク３４は、アクセスポイント３２に接続される。コンテンツサーバ１６は、第２ネットワーク３４に接続される。コンテンツサーバ１６は、実施例１と同様の処理を実行することによって、第２ネットワーク３４を介してアクセスポイント３２から広告データを送信させる。その際、コンテンツサーバ１６は、第２通信システムＩＤによって回数の情報を管理する。なお、コンテンツサーバ１６は、アクセスポイント３２と通信端末装置１０との通信が実行されない場合、ＧＷ３６、第１ネットワーク３０を介して基地局装置１２から通信端末装置１０に広告データを送信してもよい。また、コンテンツサーバ１６は、基地局装置１２から送信する際の広告データの伝送レートよりも、アクセスポイント３２から送信する際の広告データの伝送レートを大きくしてもよい。以下では、説明を明瞭にするために、アクセスポイント３２から広告データを送信する場合だけを説明する。第１ネットワーク３０は、実施例１のネットワーク１４と同様である。ＧＷ３６は、第１ネットワーク３０と第２ネットワーク３４とを接続する。
【００３４】
管理装置１８は、図１と同様に構成される。取得部２０は、第２ネットワーク３４、ＧＷ３６、第１ネットワーク３０を介してコンテンツサーバ１６から、第２通信システムＩＤと、回数の情報とを取得する。ここで、回数の情報は、無線ＬＡＮシステムを介して広告データを送信した回数の情報である。なお、回数の情報は、無線ＬＡＮシステムを介して通信端末装置１０が広告データを受信した回数の情報であってもよい。また、広告データは、携帯電話システムの通信条件を変更させるための評価対象となるデータである。取得部２０は、第２通信システムＩＤと、回数の情報とを記憶部２２に記憶する。
【００３５】
記憶部２２は、取得部２０からの指示にしたがって、第２通信システムＩＤと、回数の情報とを記憶する。図６は、管理装置１８における記憶部２２に記憶されたテーブルのデータ構造を示す。図示のごとく、セグメントＩＤ欄２３０、ユーザＩＤ欄２３２、第１通信システムＩＤ欄２３４、第２通信システムＩＤ欄２３６、回数欄２３８が含まれる。セグメントＩＤ欄２３０は、前述のセグメントＩＤ欄２００と同様である。ユーザＩＤ欄２３２には、前述のユーザＩＤが示される。第１通信システムＩＤ欄２３４には、携帯電話システムでの識別情報である第１通信システムＩＤ、例えば、ＩＭＳＩが示される。第２通信システムＩＤ欄２３６には、無線ＬＡＮシステムでの識別情報である第２通信システムＩＤ、例えば、ＭＡＣアドレスが示される。回数欄２３８は、前述の回数欄２０４と同様である。図５に戻る。
【００３６】
計算部２４は、実施例１と同様に、前述の一定期間の経過後に、回数の情報を集計する。これは、無線ＬＡＮシステムを介して広告データを送信あるいは受信した回数の合計値を計算することに相当する。変更部２６は、計算部２４において計算した合計値をもとに、セグメントに含まれた複数のユーザのそれぞれに対する携帯電話システムの通信条件を変更する。通信条件は、実施例１と同様に、通信帯域、通信料金である。
【００３７】
本発明の実施例によれば、携帯電話システムに無線ＬＡＮシステムを併用するので、無線ＬＡＮシステムを使用して広告データを送信できる。また、無線ＬＡＮシステムを使用して広告データが送信されるので、携帯電話システムおける広告データのトラヒックの増加を抑制できる。また、無線ＬＡＮシステムを使用して広告データが送信されるので、通信料金の増加を抑制できる。また、無線ＬＡＮシステムにおける広告データの送信回数をセグメント内で合計し、合計値に応じて、携帯電話システムの通信条件を変更するので、広告を視聴することに対する動機づけを拡大できる。
【００３８】
（実施例３）
次に、本発明の実施例３を説明する。実施例３は、これまでと同様に、広告の配信回数に応じて通信条件を変更する通信システムに関するが、特に、実施例２における無線ＬＡＮシステムでのアクセスポイントの処理に関する。アクセスポイントが通信システムの事業者の管理配下である場合、動的広告ＳＳＩＤがなされるが、実施例３では、これを説明する。アクセスポイントに複数のＳＳＩＤが設定可能である場合、ＳＳＩＤごとに異なった設定が可能になり、柔軟なネットワークの構築が可能になる。一方、通信端末装置からアクセスポイントに接続する場合、多くのＳＳＩＤが選択可能になり、ユーザにとってどのＳＳＩＤを選択すればよいか分かりにくくなる。これに対応するため、ＳＳＩＤと広告主とを１対１で対応づけ、さらに広告主を連想するような名称がＳＳＩＤに付与される。その結果、ユーザが閲覧したい広告に応じてＳＳＩＤを選択することが容易になる。さらに、広告主ごとの設定が可能なる。しかしながら、アクセスポイントにおいて同時に設定可能なＳＳＩＤの数は、１〜１６であり、広告主の数よりも少ない。
【００３９】
アクセスポイントにおいて設定可能なＳＳＩＤの数、つまりビーコンに含めてブロードキャスト送信可能なＳＳＩＤの数を増加するために、本実施例に係る無線ＬＡＮシステムは次の処理を実行する。ここでは、一例として、アクセスポイントに同時に設定可能なＳＳＩＤの数（以下、「第１数」という）を「４」とし、広告主の数に応じたＳＳＩＤの数（以下、「第２数」という）を「３２」とする。ネットワークを介して、アクセスポイントに接続された管理装置は、第２数のＳＳＩＤから第１数のＳＳＩＤを選択し、選択した各ＳＳＩＤをアクセスポイントに送信させる。所定時間の経過後、管理装置は、第２数のＳＳＩＤから第１数の別のＳＳＩＤを選択し、同様の処理を繰り返す。このように時分割でＳＳＩＤを変更しながら、アクセスポイントに送信させるので、アクセスポイントから実質的に送信可能なＳＳＩＤの数が増加する。実施例３に係る通信システムは、図５と同様のタイプである。ここでは、差異を中心に説明する。
【００４０】
アクセスポイント３２は、ブロードキャスト送信すべきビーコンに含まれるＳＳＩＤを設定する。なお、１つのビーコンには、１つのＳＳＩＤが含まれる。また、アクセスポイント３２に同時に設定可能なＳＳＩＤの数が、前述の第１数である。第１数の一例は、「４」である。アクセスポイント３２は、１つのＳＳＩＤが含まれたビーコンをブロードキャスト送信し、別のタイミングにおいて、別のＳＳＩＤが含まれたビーコンをブロードキャスト送信する。
【００４１】
本実施例において、ＳＳＩＤは、広告に関連づけられる。図７は、通信システム１００における広告とＳＳＩＤとの関係を示す。図示のごとく、広告欄２４０、ＳＳＩＤ欄２４２が含まれる。広告欄２４０には、対象となる広告の一覧が示される。広告Ａは、「Ａ社」の広告に相当し、広告Ｂは、「Ｂ社」の広告に相当する。ＳＳＩＤ欄２４２には、広告に対応したＳＳＩＤが示される。広告Ａに対しては、ＳＳＩＤとして「ａｄｖｅｒｔｉｓｅｍｅｎｔａ」が付与され、広告Ｂに対しては、ＳＳＩＤとして「ａｄｖｅｒｔｉｓｅｍｅｎｔｂ」が付与される。このようなＳＳＩＤの数は、前述の第２数に相当し、第２数は第１数よりも大きくなるように規定される。図５に戻る。
【００４２】
管理装置１８は、第２ネットワーク３４、ＧＷ３６、第１ネットワーク３０を介して、アクセスポイント３２と通信する。管理装置１８の記憶部２２は、図７に示された広告とＳＳＩＤとの対応関係が示されたテーブルを記憶する。管理装置１８は、記憶部２２に記憶した情報に応じて、第２数のＳＳＩＤから第１数のＳＳＩＤを選択する。
【００４３】
図８は、管理装置１８において選択されるＳＳＩＤの時間変化を示す。縦方向には、第１数のＳＳＩＤが示される。ここでは、それらを「第１ＳＳＩＤ」から「第４ＳＳＩＤ」と示す。横方向には、時間の経過とともに選択されるＳＳＩＤが示される。最初のタイミングにおいて、第１ＳＳＩＤとして「ａｄｖｅｒｔｉｓｅｍｅｎｔａ」が選択され、第２ＳＳＩＤとして「ａｄｖｅｒｔｉｓｅｍｅｎｔｂ」が選択され、第３ＳＳＩＤとして「ａｄｖｅｒｔｉｓｅｍｅｎｔｃ」が選択され、第４ＳＳＩＤとして「ａｄｖｅｒｔｉｓｅｍｅｎｔｄ」が選択される。所定期間の経過後、図示のごとく、「ａｄｖｅｒｔｉｓｅｍｅｎｔｅ」から「ａｄｖｅｒｔｉｓｅｍｅｎｔｈ」が選択される。このようにＳＳＩＤは時分割して割りふられる。なお、ＳＳＩＤが巡回的に順次付与されてもよい。図５に戻る。
【００４４】
管理装置１８は、選択した第１数のＳＳＩＤの使用をアクセスポイント３２に指示する。アクセスポイント３２は、指示にしたがって第１数のＳＳＩＤを設定し、第１数のＳＳＩＤのそれぞれが含まれたビーコンを送信する。なお、図８のごとく、ＳＳＩＤが時間とともに変更する場合、ビーコンに含まれるべき第１数のＳＳＩＤが時間とともに変更される。
【００４５】
通信端末装置１０は、アクセスポイント３２からのビーコンを受信することによって、複数の広告のそれぞれに対応するＳＳＩＤを取得する。通信端末装置１０を操作するユーザは、取得したＳＳＩＤの一覧を確認し、そのうちから閲覧を希望する広告に対応したＳＳＩＤを選択する。例えば、「広告Ａ」の閲覧を希望する場合、ユーザは、「ａｄｖｅｒｔｉｓｅｍｅｎｔａ」を選択する。通信端末装置１０は、選択したＳＳＩＤを使用することによって、アクセスポイント３２との接続処理を実行する。接続処理には公知の技術が使用されればよいので、ここでは説明を省略する。選択したＳＳＩＤに応じた設定にて、通信端末装置１０とコンテンツサーバ１６との間の通信が、アクセスポイント３２、第１ネットワーク３０とを介して実行される。
【００４６】
アクセスポイント３２は、通信端末装置１０のＭＡＣアドレスと、選択されたＳＳＩＤとの対応関係の情報を管理装置１８に送信する。管理装置１８の記憶部２２は、対応関係の情報を記憶する。つまり、記憶部２２は、アクセスポイント３２に過去にアクセスした通信端末装置１０のＭＡＣアドレスとＳＳＩＤとの対応関係を記憶する。図９は、管理装置１８の記憶部２２に記憶されたテーブルのデータ構造を示す。図示のごとく、第２通信システムＩＤ欄２５０、ＳＳＩＤ欄２５２が含まれる。第２通信システムＩＤ欄２５０には、各通信端末装置１０のＭＡＣアドレスが示される。ＳＳＩＤ欄２５２には、ＭＡＣアドレスに対応したＳＳＩＤが示される。図５に戻る。
【００４７】
通信端末装置１０によるアクセスポイント３２へのアクセスが終了した後、通信端末装置１０がアクセスポイント３２に再び通信可能な状態になった場合、通信端末装置１０は、ＭＡＣアドレスが含まれたリソースリクエストを送信する。アクセスポイント３２は、リソースリクエストを受信し、リソースリクエストに含まれたＭＡＣアドレスを管理装置１８へＭＡＣアドレスを送信する。
【００４８】
管理装置１８は、アクセスポイント３２にアクセス可能な通信端末装置１０のＭＡＣアドレスを取得する。管理装置１８は、記憶部２２に記憶した図９の対応関係を参照することによって、取得したＭＡＣアドレスからＳＳＩＤを選択する。このように、過去の履歴よりＳＳＩＤの抽出あるいは誘導したいＳＳＩＤの抽出がなされる。管理装置１８は、抽出したＳＳＩＤが含まれたビーコンの送信をアクセスポイント３２に指示する。
【００４９】
以上の構成による通信システム１００の動作を説明する。図１０は、管理装置１８によるＳＳＩＤの指示手順を示すフローチャートである。管理装置１８は、第２通信システムＩＤを取得する（Ｓ５０）。管理装置１８は、ＳＳＩＤを取得する（Ｓ５２）。取得したＳＳＩＤが送信中でなければ（Ｓ５４のＮ）、管理装置１８は、取得したＳＳＩＤの送信を指示する（Ｓ５６）。取得したＳＳＩＤが送信中であれば（Ｓ５４のＹ）、処理は終了される。
【００５０】
本発明の実施例によれば、アクセスポイントの使用環境についての情報に応じて第２数のＳＳＩＤから第１数のＳＳＩＤを選択するので、使用環境に適したＳＳＩＤを送信できる。また、第１数のＳＳＩＤを変更しながら選択するので、第１数よりも多くのＳＳＩＤを送信できる。また、第１数よりも多くのＳＳＩＤが送信されるので、ネットワークを柔軟に構築できる。また、アクセスポイントに過去にアクセスした通信端末装置のＭＡＣアドレスとＳＳＩＤとの対応関係をもとに、取得したＭＡＣアドレスからＳＳＩＤを選択するので、使用される可能性の高いＳＳＩＤを選択できる。また、使用される可能性の高いＳＳＩＤが選択されるので、効率的に広告を配信できる。また、使用実績をフィードバックするので、より多くのアクセスのあるＳＳＩＤを動的に送信できる。
【００５１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５２】
本実施例１乃至３において、通信条件の変更対象として、携帯電話システムが使用されている。しかしながらこれに限らず例えば、携帯電話システム以外の無線通信システムが使用されてもよい。例えば、無線ＭＡＮ（Ｍｅｔｒｏｐｏｌｉｔａｎ  Ａｒｅａ  Ｎｅｔｗｏｒｋ）が使用されてもよい。本変形例によれば、さまざまな無線通信システムを使用できる。
【００５３】
本実施例１乃至３において、変更部２６は、ＴＨ１〜ＴＨ３の３つのしきい値を使用する。しかしながらこれに限らず例えば、３つ以外の数のしきい値が使用されてもよい。本変形例によれば、しきい値の数に応じた変更処理を実行できる。
【００５４】
本実施例１乃至３において、通信条件を変更させるための評価対象となるデータとして、広告データが送信されている。しかしながらこれに限らず例えば、広告データ以外のデータが送信されてもよい。一例として、イベント会場においてスケジュールの情報やトイレの場所等が示された情報が送信される。本変形例によれば、広告ではなくても、ユーザにとって役に立つ情報を送信できる。
【００５５】
本実施例３において、通信端末装置１０を操作するユーザが、取得したＳＳＩＤの一覧を確認し、そのうちから閲覧を希望する広告に対応したＳＳＩＤを選択している。しかしながら、これに限らず例えば、通信端末装置１０には、無線ＬＡＮシステムのアクセスポイント３２への自動接続を実行するためのアプリケーション（以下、「自動接続アプリケーション」という）がインストールされており、ユーザによるＳＳＩＤの選択が省略されてもよい。自動接続アプリケーションには、ユーザが含まれるセグメントに関する情報が登録されているとともに、ユーザの嗜好に関する情報も登録されている。また、自動接続アプリケーションには、選択すべきＳＳＩＤの少なくとも一部の文字列が登録されている。例えば、広告データに対応したＳＳＩＤには、「ｘｘｘ＠Ａｄ」のような識別子が入っている場合、一部の文字列は「＠Ａｄ」に相当する。
【００５６】
このような自動接続アプリケーションは、動的なＳＳＩＤをスキャンするとともに、受信したＳＳＩＤを記録する。また、自動接続アプリケーションは、記録したＳＳＩＤの中から、登録された文字列を含んだＳＳＩＤを選択する。ＳＳＩＤの選択後は、これまでと同様に、コンテンツサーバ１６への接続がなされればよい。また、接続時には、Ｒａｄｉｕｓ認証がなされてもよい。さらに、通信端末装置１０は、選択したＳＳＩＤを管理装置１８に通知してもよい。本変形例によれば、通信端末装置１０を操作するユーザの目には、取得したＳＳＩＤの一覧が見えない場合であっても、接続を実現できる。
【符号の説明】
【００５７】
１０  通信端末装置、  １２  基地局装置、  １４  ネットワーク、  １６  コンテンツサーバ、  １８  管理装置、  ２０  取得部、  ２２  記憶部、  ２４  計算部、  ２６  変更部、  １００  通信システム。
【図１】
2016045880.tif 000003
【図２】
2016045880.tif 000004
【図３】
2016045880.tif 000005
【図４】
2016045880.tif 000006
【図５】
2016045880.tif 000007
【図６】
2016045880.tif 000008
【図７】
2016045880.tif 000009
【図８】
2016045880.tif 000010
【図９】
2016045880.tif 000011
【図１０】
2016045880.tif 000012
【手続補正書】
【提出日】平成26年9月8日(2014.9.8)
【手続補正１】
【補正対象書類名】図面
【補正対象項目名】全図
【補正方法】変更
【補正の内容】
【図１】
2016045880.tif 000013
【図２】
2016045880.tif 000014
【図３】
2016045880.tif 000015
【図４】
2016045880.tif 000016
【図５】
2016045880.tif 000017
【図６】
2016045880.tif 000018
【図７】
2016045880.tif 000019
【図８】
2016045880.tif 000020
【図９】
2016045880.tif 000021
【図１０】
2016045880.tif 000022